(57)【要約】      （修正有）【課題】車両等に繰返し踏み付けられても、その発光による視線誘導機能を長期にわたり発現することができる自発光式標識柱を提供する。【解決手段】発光体５を、複数の発光方向から一の発光方向を選択可能な取付具を介して標識柱に取付けているため、設置場所ごとに車両運転者に対して適切な発光方向を選択でき、視線誘導機能を長期にわたり保持して安全走行に寄与することができる。また、前記取付具４を、複数の通孔４２が等間隔に円周状に穿設された円盤状の平板部４１と、該平板部４１の側端部に立ち上げられた少なくとも１個の縦壁４３とを備え、前記縦壁４３に発光体５を外方に向けて取付けると共に、標識柱のベース部３を設置面ＧＬに固定するアンカーボルトＡが挿通されるようにすれば、取付具に穿設した複数の通孔４２の中から適宜通孔４２を選択し、発光体５の発光方向を車両運転者に対して適切な方向となるように設置できる。【選択図】図１
2007308986.tif 000002
【特許請求の範囲】
【請求項１】
路面に設置される標識柱に、太陽電池とこの太陽電池の起電力によって発光する発光体とが取付けられ、前記発光体は複数の発光方向から一の発光方向を選択可能な取付具を介して標識柱に取付けられていることを特徴とする自発光式標識柱。
【請求項２】
前記取付具は、複数の通孔が等間隔に円周状に穿設された円盤状の平板部と、該平板部の側端部に立ち上げられた少なくとも１個の縦壁とを備え、前記縦壁に発光体が外方に向けて取付けられると共に、標識柱のベース部底面と設置面との間に配置された平板部の通孔に、前記ベース部を設置面に固定するアンカーボルトが挿通されていることを特徴とする請求項１に記載の自発光式標識柱。
【請求項３】
前記取付具は、標識柱のポール部に外挿される筒状体の側面に、発光体が取付けられると共に、上部に車座状に設けられた複数の凹部に、太陽電池が着脱自在に取付けられるようになされたものであることを特徴とする請求項１に記載の自発光式標識柱。
【発明の詳細な説明】
【技術分野】
【０００１】
本発明は、車線のセンターライン標示、車線誘導標示或いは交通規制誘導標示等を目的として、舗装路面に固定し配列した状態で用いる自発光式標識柱に関するものである。
【背景技術】
【０００２】
従来、自発光式標識柱に関する発明は種々のものが提案されており、例えば特許文献１には、柱本体を弾性材により屈曲可能かつ復元可能に中空成形し、柱本体の先端開口端にキャップ状の頭部材を嵌合して閉塞すると共に、頭部材の内側面の中心に反射体を柱本体の内部に向け突出させて固定し、柱本体の先端開口端の近傍で周面複数箇所に開口窓を設け、台座の下部に埋設されたケースに設置した光源からの光を反射体によりほぼ直角方向に反射させて開口窓から発光させる誘導標識柱である自発光式標識柱が開示されている。
【０００３】
【特許文献１】実用新案登録第２５１８８８０号公報
【発明の開示】
【発明が解決しようとする課題】
【０００４】
しかしながら、特許文献１に記載の自発光式標識柱では、柱本体の先端開口端にキャップ状の頭部材を嵌合して閉塞すると共に、頭部材の内側面の中心に反射体を柱本体の内部に向け突出させて固定し、柱本体の先端開口端の近傍で周面複数箇所に開口窓を設け、台座の下部に埋設されたケースに設置した光源からの光を反射体によりほぼ直角方向に反射させて開口窓から発光させるようにしているため、道路用自発光式標識柱の構造が複雑になると共に、車両等に踏み付けられた際に、特に柱本体の頭部にかかる衝撃は相当大きなものとなるため、頭部材の内側面の中心に固定した反射体が変形して光源からの光の軸がずれたり、反射体が脱落したりして、自発光式標識柱に具備させるべき発光による視線誘導機能が発現しなくなる懸念が少なくない。
【０００５】
本発明は上記の課題を解決するためになされたものであり、車両等に繰返し踏み付けられても、その発光による視線誘導機能を長期にわたり発現することができる自発光式標識柱を提供せんとするものである。
【課題を解決するための手段】
【０００６】
上記目的を達成するために、本発明は次のような構成としている。
すなわち、本発明に係る自発光式標識柱は、路面に設置される標識柱に、太陽電池とこの太陽電池の起電力によって発光する発光体とが取付けられ、前記発光体は複数の発光方向から一の発光方向を選択可能な取付具を介して標識柱に取付けられていることを特徴とするものである。
【発明の効果】
【０００７】
本発明によれば、発光体を、複数の発光方向から一の発光方向を選択可能な取付具を介して標識柱に取付けているため、設置場所ごとに車両運転者に対して適切な発光方向を選択でき、視線誘導機能を長期にわたり保持して安全走行に寄与することができる。
【０００８】
また本発明おいて、前記取付具を、複数の通孔が等間隔に円周状に穿設された円盤状の平板部と、該平板部の側端部に立ち上げられた少なくとも１個の縦壁とを備え、前記縦壁に発光体を外方に向けて取付けると共に、標識柱のベース部底面と設置面との間に配置された平板部の通孔に、前記ベース部を設置面に固定するアンカーボルトを挿通するようになしてもよい。かようにすれば、取付具に穿設した複数の通孔の中から適宜通孔を選択しさえすれば、発光体の発光方向が車両運転者に対して適切な方向となるように設置できるため、発光体の発光方向を容易に設定して自発光式標識柱を設置することができる。
【０００９】
また本発明において、前記取付具を、標識柱のポール部に外挿される筒状体の側面に、発光体を取付けると共に、上部に車座状に設けた複数の凹部に、太陽電池を着脱自在に取付けるようにしてもよい。かようにすれば、設置現場ごとに車両運転者に対して適切な発光方向を選択でき、安全走行に寄与することができると共に、太陽電池が太陽光を受光しやすい方角である南に向けて太陽電池を凹部に取付けることができるため、受光効率がよく、多くの起電力を得て、発光体を長時間発光させることができる。
【発明を実施するための最良の形態】
【００１０】
本発明に係る実施の形態について、図面に基づき以下に具体的に説明する。
図１は本発明に係る自発光式標識柱の実施の一形態を示すものであって、（イ）は分解斜視図、（ロ）は一部切欠正面図、図２は本発明に係る自発光式標識柱の別の実施形態を示すものであって、（イ）は取付具の斜視図、（ロ）は自発光式標識柱の正面図である。
【００１１】
１は円筒状の中空体であるポール本体であり、上端からキャップ部２が、下端からはベース部３が挿入されて、ポール本体１にキャップ部２及びベース部３が取付けられる。キャップ部２及びベース部３の取付けに当たっては、接着や超音波等による融着でもよいが、回転融着を行うことで融着部が目立つことなく強固な融着ができ好ましい。キャップ部２については挿入部２１の外面とポール本体１の内面とが密着され、ベース部３についてはポール本体１の下端がベース部３に設けられた取付溝（図示せず）に挿入されて密着され、両方又はいずれか一方が回転されることで密着された部位において摩擦熱により融着がなされる。
【００１２】
ポール本体１の上方には、間隔をあけて２ヶ所にポール本体１の全周に亘って反射シートである反射体Ｒ１が貼着されて、夜間における視認性を向上させている。本実施形態において、反射体Ｒ１は融着前にポール本体１に貼着されているが、融着後に貼着するものであってもよい。またベース部３の外周壁にもガラスビーズを埋設した反射体Ｒ２が２個巻着されて更に夜間における視認性を高めるようになされている。
【００１３】
ポール本体１を形成する材料は、成形が比較的容易で車両の衝突や踏み付けに対する復元性、耐久性等の高いポリウレタン樹脂が好適に用いられるが、特に限定されるものではなく、車両の衝突等によって曲がり且つ復元するポールが形成できるものであればよく、成形の容易さ及び復元性、耐久性等の高い熱可塑性合成樹脂である熱可塑性の軟質ポリオレフィン、ポリオレフィン系やスチレン系等各種エラストマー等を用いることができる。
【００１４】
またキャップ部２及びベース部３の形成に用いられる材料についても、ポール本体１と同様に成形の容易さ及び復元性、耐久性等に優れる熱可塑性合成樹脂を好適に用いることができるが、特に限定されるものではなく適宜の材料を用いてよい。またポール本体１と融着により一体化するにおいては、ポール本体１の形成に用いられるものと相溶性を有するものを用いるのが好ましく、また同種類のものを用いれば、外力や温度変化に対する耐性を高めることができ、より好ましい。
【００１５】
ベース部３は円形の扁平な台座状となされ、その周縁付近には円周状に１２０°の角度をあけて等間隔に３個の取付孔３１が穿設されている。
【００１６】
４は、太陽電池Ｓとこの太陽電池Ｓの起電力によって発光する２個の発光ダイオードＤが外方に向けて取付けられた発光体５を標識柱に取付けるための取付具である。取付具４は、標識柱のベース部３の底面と同径の円盤状の平板部４１を備え、該平板部４１には１２個の通孔４２が等間隔に円周状に穿設されると共に、取付具４の端部の１８０°の位置に縦壁４３が２個設けられ、この縦壁４３と発光体５の背面側に形成した取付部５１とを嵌め合わせ、縦壁４３に穿設された２個のネジ孔と発光体５の背面に穿設された２個のネジ孔に、ネジＮを螺着して、取付具４に発光体５を固定するようになされている。
【００１７】
尚、取付具４に縦壁４３を１個設けて、発光体５を取付け、自発光式標識柱を形成することも、勿論可能である。
【００１８】
次に、標識柱の設置面ＧＬへの取付けについて説明する。まず、標識柱のベース部３の取付孔３１及び取付具４の平板部４１の通孔４２とに、アンカーボルトである取付ボルトＢを挿通する。そして、その挿通した取付ボルトＢを、アンカーナットＡに螺入し、ベース部３底面とアンカーナットＡとで取付具４を挟みつける。
【００１９】
次いで、この自発光式標識柱に取付けられたアンカーナットＡの位置に合うように、設置面ＧＬに埋込孔Ｈを穿設し、その埋込孔Ｈに接着剤６を充填する。そして、この埋込孔Ｈに前記アンカーナットＡを挿入し、接着剤６を固化させれば、自発光式標識柱は設置面ＧＬに取付けられる。
【００２０】
かように取付けることによって、取付後に、取付ボルトＢを緩めて自発光式標識柱を設置面ＧＬから取り外すことは可能であり、又他の自発光式標識柱を再び取付けることも可能である。
【００２１】
そして、取付具４の平板部４１には１２個の通孔４２が等間隔に円周状に穿設されているので、その通孔４２を任意に選択することにより、自発光式標識柱を設置した後であっても、発光体５の発光方向を変更することも可能である。
【００２２】
前記取付方法では、予め標識柱のベース部３とアンカーナットＡとにより取付具４の平板部４１を挟み込み、設置面ＧＬに自発光式標識柱を取付けたが、先にアンカーナットＡのみを埋込孔Ｈに埋設固定し、しかる後に、ベース部３の取付孔１と取付具４の平板部４１の通孔４２とに取付ボルトＢを挿通し、そしてその取付ボルト２を、埋設固定されたアンカーナットＡに螺入するようにしてもよい。
【００２３】
前記接着剤６は、アンカーナットＡと埋込孔Ｈとを強固に接着するものであれば特に限定されるものではなく、例えば、二液タイプのエポキシ系接着剤を用いてよい。
【００２４】
次に、本発明に係る別の実施形態について、図２を用いて説明する。
上記の形態とは形状が異なり、この形態における取付具４は筒状体を呈しており、中心部にはポール部１の径より若干大径となされた挿通孔４４が設けられ、その下部には、複数の薄板状凸片４５がポール部１の外周に沿うように、下方に突設されている。
【００２５】
そして、取付具４の上部には、太陽電池Ｓを着脱自在に取付可能となされた凹部４６が車座状に複数設けられている。この凹部４６の底面には、太陽電池Ｓの裏面に突設された２本の電極（図示せず）を抜き差しできる２個の孔を有するコネクター部４７が形成されており、このコネクター部４７は太陽電池Ｓの電極を差込んだ状態で、防水構造となるように、例えばゴムパッキンが凹部４６の底面と略面一にコネクター部４７の２個の孔の周りに配置されている構造となされている。
【００２６】
また、取付具４の側面の中央付近には、上記太陽電池Ｓの起電力で発光する発光ダイオードＤが、正面視において、左右に２箇所、各々上下に２個、車両通行方向に発光するように取付けられている。
【００２７】
標識体と取付具４との取付方法に関しては、ポール部１の上方から、前記取付具４を、薄板状凸片４５の下端が標識柱のベース部３に当接するまで挿通し、例えば帯状の金属製バンド７を薄板状凸片４５の外側に巻き付け、そのバンド７を締め込むことによって、取付具４を標識柱に取付けるものである。
【００２８】
尚、全ての凹部４６に太陽電池Ｓを取付けず一部の凹部４６にはダミーの太陽電池を取付けている場合において、一旦、標識柱に取付具４を取付けた後でも、太陽光を効率よく受光できる方角である南の位置にある凹部４６に太陽電池Ｓを付け替えることは容易であり、受光効率がよく、多くの起電力を得て、発光ダイオードＤを長時間発光させることができると共に、コスト面でのメリットを享受することができる。
【産業上の利用可能性】
【００２９】
本発明に係る自発光式標識柱によれば、発光体を、複数の発光方向から一の発光方向を選択可能な取付具を介して標識柱に取付けているため、設置場所ごとに車両運転者に対して適切な発光方向を選択でき、視線誘導機能を長期にわたり保持して安全走行に寄与することができる自発光式標識柱として好適に利用することができる。
【図面の簡単な説明】
【００３０】
【図１】本発明に係る自発光式標識柱の実施の一形態を示すものであって、（イ）は分解斜視図、（ロ）は一部切欠正面図である。
【図２】本発明に係る自発光式標識柱の別の実施形態を示すものであって、（イ）は取付具の斜視図、（ロ）は自発光式標識柱の正面図である。
【符号の説明】
【００３１】
１      ポール本体
２      キャップ部
３      ベース部
３１    取付孔
４      取付具
４１    平板部
４２    通孔
４３    縦壁
４４    挿通孔
４５    薄板状凸片
４６    凹部
４７    コネクター部
５      発光体
５１    取付部
６      接着剤
７      バンド
Ａ      アンカーナット
Ｂ      取付ボルト
Ｄ      発光ダイオード
ＧＬ    設置面
Ｈ      埋込孔
Ｎ      ネジ
Ｒ１、Ｒ２    反射体
Ｓ      太陽電池
【図１】
2007308986.tif 000003
【図２】
2007308986.tif 000004